(57)【特許請求の範囲】
【請求項１】
交差する２方向に拡がる天板と、前記天板の主たる面に沿う回転軸を中心に前記天板が回動可能であるように、前記天板を保持する脚部と、前記脚部に設けられた１以上のキャスターと、を備えた移動机であって、
前記キャスターをロックする状態にするキャスターロック位置と、前記キャスターをアンロックする状態にするキャスターアンロック位置と、の間で移動可能な第１可動部と、前記第１可動部を前記キャスターアンロック位置へ付勢する第１付勢手段と、を有するキャスターロック機構と、
前記天板の回動をロックする状態にする天板ロック位置と、前記天板の回動をアンロックする状態にする天板アンロック位置と、の間で移動可能な第２可動部と、前記第２可動部を前記天板ロック位置へ付勢する第２付勢手段と、を有する天板ロック機構と、
押圧ロック位置と押圧アンロック位置との間で移動可能な押圧可動部と、前記押圧可動部を前記押圧ロック位置へ前記第１付勢手段より強い付勢力で付勢する第３付勢手段と、を有する押圧機構と、を備え、
前記押圧ロック位置とは、前記押圧可動部が、前記天板が所定の位置に回動した状態においては、前記第１可動部を前記キャスターロック位置へ押圧して移動させると共に、前記第２可動部を前記天板アンロック位置へ向けて押圧することなく前記第２可動部の前記第２付勢手段による前記天板ロック位置への移動を許可する位置であり、
前記押圧アンロック位置とは、前記押圧可動部が、前記第１可動部の前記第１付勢手段による前記キャスターアンロック位置への移動を許可すると共に、前記第２可動部を前記天板アンロック位置へ押圧して移動させる位置であり、
前記押圧可動部は、前記押圧ロック位置から前記押圧アンロック位置へ向かい所定量移動した際に、前記第２可動部に対する前記天板アンロック位置への押圧を開始する
ことを特徴とする移動机。
【請求項２】
前記押圧ロック位置と前記押圧アンロック位置との間には、前記第１可動部が前記キャスターアンロック位置への移動を許可され、かつ、前記第２可動部が前記天板アンロック位置へ移動しないように、前記押圧可動部が位置する領域が存在する
ことを特徴とする請求項１に記載の移動机。
【請求項３】
前記脚部は、前記回転軸の両端部近傍にそれぞれ配置され、それぞれ前記キャスターロック機構を備えている
ことを特徴とする請求項１または請求項２に記載の移動机。
【請求項４】
前記押圧可動部と連動するレバーを備え、
前記レバーを操作することで前記押圧可動部が移動する
ことを特徴とする請求項１から請求項３のいずれかに記載の移動机。
【発明の詳細な説明】
【技術分野】
【０００１】
本発明は、交差する２方向に拡がる天板と、天板の主たる面に沿う回転軸を中心に天板が回動可能であるように、天板を保持する脚部と、脚部に設けられた１以上のキャスターと、を備えた移動机に関する。
【背景技術】
【０００２】
机の脚部にキャスターを取り付け、容易に移動可能とした移動机が利用されている。
こうした移動机においては、移動時には楽に移動ができると共に、使用時には簡単に移動できないようにされていることが重要である。そのためには、使用時にはキャスターをロックして移動机の移動を不能にすると共に、移動時にはキャスターのロックを解除するよう構成するとよい。
【０００３】
例えば、天板を回動して垂直姿勢とした際には、キャスターのロックが解除され、移動可能となると共に、天板を水平姿勢とした際には、キャスターをロックする技術などが従来より提案されている（特許文献１参照）。この移動机では、天板の回動機構とキャスターのロック機構とをリンクすることで、天板の回動に応じてキャスターをロックまたはロックが解除されたアンロック状態とすることを実現しており、天板を回動させる操作とキャスターをロックまたはアンロックする操作とを一つの操作で行えるため都合がよい。
【特許文献１】特許第２９８９５８１号公報
【発明の開示】
【発明が解決しようとする課題】
【０００４】
しかしながら、上記特許文献１の技術では、天板の回動をロックする機構と、キャスターをロックする機構とがリンクしているため、一方の動作に不具合が生じると、もう一方の動作にも不具合が発生する虞があった。例えば、キャスターのロックが故障し、キャスターをロックする部材が変位しなくなったとき、同時に天板をロックする機構も動かなくなり、天板をロックする機構に不具合がなくとも天板のロックおよびアンロックが適切に行えなくなってしまうことや、一方のロック機構が浅めに掛かった結果、一方はロックされるが、もう一方はロックが十分に行われない、といったの問題が発生する可能性があった。さらに、キャスターおよび天板をロックしたとき、その状態を維持するために付勢手段が用いられるが、各機構がリンクしていることから、一方に適切な付勢力を加える付勢手段を用いると、もう一方の付勢力が強すぎることや弱すぎることになり、それぞれに適切な力を加えることができないといった問題があった。
【０００５】
それに対し、キャスターをロックする機構と天板をロックする機構とを別々に設けると、キャスターをロックまたはアンロックする操作と、天板の回動をロックまたはアンロックする操作とを別々に行わねばならず、不便であった。
【０００６】
本発明は、上記の問題を解決するためになされており、簡便に操作でき、安定した性能を発揮できるキャスターのロック機構および天板のロック機構を備える移動机を提供することを目的とする。
【課題を解決するための手段】
【０００７】
上述した問題を解決するためになされた請求項１に記載の移動机は、交差する２方向に拡がる天板と、天板の主たる面に沿う回転軸を中心に天板が回動可能であるように、天板を保持する脚部と、脚部に設けられた１以上のキャスターと、を備えた移動机である。
【０００８】
この移動机は、上記キャスターをロックする状態にするキャスターロック位置と、キャスターをアンロックする状態にするキャスターアンロック位置と、の間で移動可能な第１可動部と、第１可動部をキャスターアンロック位置へ付勢する第１付勢手段と、を有するキャスターロック機構と、上記天板の回動をロックする状態にする天板ロック位置と、天板の回動をアンロックする状態にする天板アンロック位置と、の間で移動可能な第２可動部と、第２可動部を天板ロック位置へ付勢する第２付勢手段と、を有する天板ロック機構と、押圧ロック位置と押圧アンロック位置との間で移動可能な押圧可動部と、押圧可動部を押圧ロック位置へ上記第１付勢手段より強い付勢力で付勢する第３付勢手段と、を有する押圧機構と、を備えている。
【０００９】
そして、上記押圧ロック位置とは、押圧可動部が、上記天板が所定の位置に回動した状態においては、第１可動部をキャスターロック位置へ押圧して移動させると共に、第２可動部を天板アンロック位置へ向けて押圧することなく第２可動部の第２付勢手段による天板ロック位置への移動を許可する位置であり、上記押圧アンロック位置とは、押圧可動部が、第１可動部の第１付勢手段によるキャスターアンロック位置への移動を許可すると共に、第２可動部を前記天板アンロック位置へ押圧して移動させる位置であり、さらに押圧可動部は、上記押圧ロック位置から上記押圧アンロック位置へ向かい所定量移動した際に、第２可動部に対する天板アンロック位置への押圧を開始することを特徴とする。
【００１０】
このように構成された移動机において、天板が所定の位置に回動した状態にあるとき、キャスターのロックおよびアンロックは、第１可動部の移動に応じて切り替えられる。また、天板の回動のロックおよびアンロックは、第２可動部の移動に応じて切り替えられる。
【００１１】
天板が所定の位置に回動した状態にあるとき、第１可動部は、第３付勢手段の付勢力から第１付勢手段の付勢力を差し引いた付勢力で、キャスターロック位置に付勢される。また、第２可動部は、第２付勢手段により天板ロック位置に付勢される。
【００１２】
このように、キャスターをロックするための付勢力と、天板の回動をロックするための付勢力とは、それぞれ異なる付勢手段によって生じていることから、それぞれをロックするために適切な付勢力を設定することができるので、ロックするための機構を安定して作動させることができる。
【００１３】
また、押圧可動部を移動させることで、第１可動部，第２可動部のいずれをも操作することができるため、キャスターロック機構，天板ロック機構のそれぞれを別々の操作にて作動させる必要がなく、簡便にキャスターおよび天板のロックおよびアンロック操作を行うことができる。
【００１４】
さらに、操作を行う押圧機構に対して、キャスターロック機構，天板ロック機構いずれも完全にリンクする構成ではないことから、それらのいずれか片方に不具合が生じて作動しなくなった場合や、不完全な作動を行っている場合であっても、もう一方の機構に与える影響を小さくすることができる。
【００１５】
例えば、何らかの理由で第２可動部が動かない場合であっても、押圧可動部は第１可動部に通常通り付勢を行うので、キャスターは正常にロックされることとなる。
このように、請求項１に記載の移動机であれば、そのキャスターのロック機構および天板のロック機構は、簡便に操作でき、安定した性能を発揮することができる。
【００１６】
なお、上述したキャスターがロックされた状態とは、キャスターが有する車輪の回転動作，キャスター自体の旋回動作のうち、少なくともいずれか一方の動作が不能とされた状態のことを意味する。
【００１７】
上述した押圧可動部が押圧ロック位置と押圧アンロック位置との間を移動するにあたり、キャスターのロックおよびアンロックが切り替わる押圧可動部の位置や、天板の回動のロックおよびアンロックが切り替わる押圧可動部の位置は、自由に設定することができるが、キャスターがアンロックされており、天板の回動がロックされている状態を創り出すことができると都合がよい。そのためには、請求項１の構成を、請求項２に記載の移動机のように、押圧ロック位置と押圧アンロック位置との間には、第１可動部がキャスターアンロック位置への移動を許可され、かつ、第２可動部が天板アンロック位置へ移動しないように、押圧可動部が位置する領域が存在するように構成するとよい。
【００１８】
このように構成された移動机であれば、上述した領域に押圧可動部が位置している状態においては、キャスターがアンロックされ、天板の回動がロックされる。そのため、天板を回動させることなく、移動机を移動させることができるので、移動机の天板上に物が載っている状態での移動や、短い距離の移動を行う場合に、天板を回動させる必要がなく都合がよい。
【００１９】
ところで、上述した脚部は、請求項３に記載した移動机のように、天板の回転軸の両端部近傍にそれぞれ配置され、それぞれキャスターロック機構を備えているように構成してもよい。
【００２０】
このように構成された移動机であれば、天板の両端部近傍に配置された脚部によって天板を支えることができる。また、いずれの脚部にもキャスターロック機構が備わっていることから、複数のキャスターをロックすることができ、それにより移動机の移動を効果的に抑制することができる。
【００２１】
上述した押圧可動部は、使用者によって押圧可動部自体を操作される構成であってもよいが、請求項４に記載した移動机のように、押圧可動部と連動するレバーを備え、そのレバーを操作することで押圧可動部が移動するように構成してもよい。
【００２２】
このように構成された移動机であれば、レバーを操作することで、キャスターの回転のロックおよびアンロックや、天板の回動のロックおよびアンロックを行うことができるようになる。なお、このレバーを天板の回転軸と交差する方向の端部近傍に備える構成とすると、レバーの操作を行うと同時に天板を回動させるために天板をつかむことができるため、簡便に天板を回動させることができる。
【発明を実施するための最良の形態】
【００２３】
以下に本発明の実施形態を図面と共に説明する。なお、本発明の実施の形態は、下記の実施例に何ら限定されることなく、本発明の技術的範囲に属する限り、種々の形態を採り得ることは言うまでもない。
（１）全体構成
本実施例における移動机１の側面図を図１に示す。図１における左方が移動机１の前方、右方が移動机１の後方であり、図１における手前側が移動机１の左側、奥側が移動机１の右側となる。
【００２４】
移動机１は、前後左右（図１におけるＸＹ平面方向）に拡がる天板１０と、左右方向（図１におけるＹ方向）に並んで配置される一対の脚部２０（図１においては片方のみ図示）と、脚部２０の下端における前方（図１におけるＣ方向）側に配置されるロックキャスター３０と、ロックキャスター３０より後方（図１におけるＤ方向）側に配置されるキャスター３１と、を備えている。
【００２５】
脚部２０は、略上下方向（図１におけるＡ−Ｂ方向）に延びる第１脚部材２１と前後方向（図１におけるＣ−Ｄ方向）に延びる第２脚部材２２とからなる。そして、左右方向（図１におけるＹ方向）に延びる回転軸１１を中心として、図１に示すように天板１０の主たる面が水平となる使用状態と、図２に示すように天板１０の主たる面が略垂直となる移動状態と、の間で回動可能に天板１０を保持する。また、第１脚部材２１の上端近傍に、後述する天板ロック機構６０の一部であるヒンジ金具２３が設けられている。
【００２６】
また、この脚部２０は、キャスターロック機構４０を備えている。
キャスターロック機構４０は、脚部２０内部に配置され、第１脚部材２１に沿って延びるロッド４１（本発明における第１可動部）と、ロッド４１を上方向（図１におけるＡ方向）に付勢する板バネ４２（本発明における第１付勢手段）と、ロックキャスター３０が旋回する際の回転軸Ｅ上に位置する旋回軸４３と、旋回軸４３の下端に設けられ、その下端面が笠歯車状に形成された旋回ロック部４４と、ロックキャスター３０の内部に配置され、ロックキャスター３０の回転軸Ｆと平行な回転軸Ｇを中心として回転変位するロック片４５と、ロック片４５の下端に設けられた複数の走行阻止歯４６と、を有している。上記旋回軸４３は、回転軸Ｅに沿う方向（図１におけるＺ方向）に揺動可能かつ、ロックキャスター３０の旋回方向に回転不能に保持されると共に、上方向に付勢されている。
【００２７】
移動机１は、天板１０の裏面に押圧機構５０，天板ロック機構６０，およびレバー部７０を備えている。天板１０の裏面の分解図を図３に示す。
上述した押圧機構５０および天板ロック機構６０は、天板１０の右側端部（図３におけるＨ方向側端部）近傍に配置された梁枠８０に取り付けられている。この梁枠８０は、天板１０の左右方向（図３におけるＨ−Ｉ方向）と直交し、かつ、天板１０の前後方向（図３におけるＪ−Ｋ方向）に延びる平板状であり、その前方（図３におけるＪ方向）側から順に、貫通孔８１，曲長孔８２，円形ボス部８３が形成されている。
【００２８】
押圧機構５０は、嵌合棒５１を備えるロッド押さえ５２（本発明における押圧可動部）と、嵌合棒５１を外嵌する円筒状の連動金具５３と、連動金具５３を取り巻くように配置される押圧バネ５４（本発明における第３付勢手段）と、連動金具５３に取り付けられ、梁枠８０と略平行に広がり、くの字型の凹部５５を有する回転金具５６と、からなる。
【００２９】
嵌合棒５１は、上記貫通孔８１における天板１０の右方向（図３におけるＨ方向）の端部側から左方向（図３におけるＩ方向）に向かって挿入される。嵌合棒５１は連動金具５３にボルトによって固定される。その際、連動金具５３の外周に押圧バネ５４が取り付けられる。
【００３０】
ロッド押さえ５２および回転金具５６は、連動金具５３を回転軸として回転可能であって、ロッド押さえ５２と回転金具５６は連動して回転する。また、押圧バネ５４は、連動金具５３に対して、Ｌ方向の回転付勢力を加える。
【００３１】
天板ロック機構６０は、ロック部材６３（本発明における第２可動部）と、ロック部材６３に取り付けられるロックバネ６４（本発明における第２付勢手段）と、ロック座金６５と、脚部２０に取り付けられたヒンジ金具２３（図３には表示しない）と、からなる。
【００３２】
ロック部材６３には、貫通孔６１と、貫通孔６１の貫通方向と平行となる方向に突出した突起６２と、が設けられている。この貫通孔６１には、上記円形ボス部８３が挿入する。また、突起６２は曲長孔８２に挿入する。
【００３３】
ロック部材６３は、ロック座金６５によって、円形ボス部８３を回転軸として、突起６２が曲長孔８２にて移動できる範囲で回転可能となるように取り付けられる。また、ロックバネ６４は、ロック部材６３に対して、Ｍ方向に回転付勢力を加える。
【００３４】
レバー部７０は、天板１０の前後方向（図３におけるＪ−Ｋ方向）に沿って延びるスライド金具７１と、スライド金具７１の一方の端部に取り付けられるレバー７２と、スライド金具７１の他方の端部に配置された筒状のスライド管座７３と、スライド金具７１をカバーするスライドカバー７４と、スライドカバー７４に形成された天板１０の左右方向（図３におけるＨ−Ｉ方向）に貫通する貫通長孔７５に対して挿通するリベット７７と、からなる。
【００３５】
上記リベット７７は、貫通長孔７５に挿通する際、スライド金具７１の他方の端部に形成された上記左右方向に貫通する貫通孔７６と、上記スライド管座７３と、を挿通する。
スライド金具７１は、スライドカバー７４の貫通長孔７５の中をリベット７７が移動できる範囲で、上記前後方向に移動可能となる。
【００３６】
そしてこのレバー部７０は、リベット７７が上述した回転金具５６の凹部５５に配置される位置関係で天板１０に取り付けられる。
上述した天板１０の裏面に取り付けられた押圧機構５０，天板ロック機構６０，およびレバー部７０を組み立てた状態を図４に示す。天板１０の左側端部近傍には、ロッド押さえ５２と左右対称に形成されるロッド押さえ５７が取り付けられる。
（２）移動机の動作
レバー７２を操作したときの連動金具５３の回転動作について、図５に基づいて説明する。図５（ａ）は、レバー７２を操作しない状態である。押圧バネ５４が連動金具５３を時計回り方向に付勢するため、凹部５５の最深部にスライド管座７３がスライドすることでリベット７７を前方（図５における左方向）に移動させる結果、レバー７２が前方に移動した状態となる。
【００３７】
使用者がレバー７２を一定量後方（図５における右側）方向に引くと、図５（ｂ）に示すように、リベット７７がレバー７２と同様に右方向に移動する。それにより、回転金具５６の凹部５５がスライド管座７３とスライドして回転金具５６を押し上げるため、連動金具５３は、その中心部を回転軸として反時計回りに回転する。さらにレバー７２を後方向に引くと、連動金具５３は図５（ｃ）の位置まで回転変位する。
【００３８】
次に、上述したレバー７２の操作によって生じた連動金具５３の回転によるロッド押さえ５２とロック部材６３の動作を、図６〜図９に基づいて説明する。
レバー７２が操作されず、連動金具５３が回転しない図５（ａ）に対応するロッド押さえ５２とロック部材６３の位置を図６に示す。
【００３９】
ロッド押さえ５２は、押圧バネ５４により図６における時計回り方向に付勢されており、連動金具５３を回転軸として回転し、ロッド４１を第１脚部材２１に沿った下方向（図６におけるＢ方向）に付勢する。ロッド４１には、板バネ４２により第１脚部材２１に沿った上方向（図６におけるＡ方向）の付勢力が加えられているが、板バネ４２によるロッド４１を上昇させる付勢力が、押圧バネ５４によりロッド４１を下降させる付勢力より弱いため、下方向に移動することとなる。なお、このときのロッド押さえ５２の位置が、本発明における押圧ロック位置となる。
【００４０】
ロッド４１が下方向に移動すると、旋回軸４３がロッド４１に押圧されて下方向に移動し、旋回ロック部４４がロック片４５を下方向に押圧して回転軸Ｅを中心に反時計回りに回転し、ロックキャスター３０の内壁３２に接触する。
【００４１】
ロック片４５の旋回ロック部４４と接触する部分は、旋回ロック部４４の笠歯車と整合する凹部が形成されており、これらが咬み合うこによりロック片４５の旋回軸４３を回転軸とする方向の回転が抑制され、その結果ロックキャスター３０の旋回が抑制される。
【００４２】
また、ロックキャスター３０の内壁３２は、歯車状に形成されており、ロック片４５の走行阻止歯４６と咬み合うことにより、ロックキャスター３０の回転が抑制される。
このようにして、ロックキャスター３０がロックされる。なお、このときのロッド４１の位置が本発明におけるキャスターロック位置である。
【００４３】
一方、ロック部材６３は、ロックバネ６４に付勢されて図６における反時計回りに回転し、ロック部材６３の鉤部６６がヒンジ金具２３の第１係合部２４と係合することで、天板１０の回転をロックしている。この状態において、ロッド押さえ５２はロック部材６３の突起６２と接触していない。なお、このときのロック部材６３の位置が本発明における天板ロック位置である。
【００４４】
次に、使用者がレバー７２を一定量操作し、連動金具５３が回転した図５（ｂ）に対応するロッド押さえ５２とロック部材６３の位置を図７に示す。
ロッド押さえ５２は、連動金具５３の回転に合わせて図７における反時計回りに回転する。その結果、ロッド４１は板バネ４２の付勢力により脚部２０に沿った上方向に変位するため、旋回軸４３が上昇し、旋回ロック部４４とロック片４５との接触が解除されてロック片４５が内壁３２から離れるため、ロックキャスター３０の回転および旋回が可能となる。このようにして、ロックキャスター３０がアンロックされ、移動机１の移動が可能となる。なお、このときのロッド４１の位置が本発明におけるキャスターアンロック位置である。
【００４５】
このように、キャスターロック機構４０は、ロッド４１をＡ−Ｂ方向に移動させることで、ロックキャスター３０のロックおよびアンロックを切り替えることができる。
また、ロッド押さえ５２がロック部材６３の突起６２と接触し、ロック部材６３を図７における時計回り方向に回転させるが、この段階ではロック部材６３の鉤部６６は第１係合部２４に一部係合しているため、天板１０の回動はロックされたままである。
【００４６】
次に、使用者がさらにレバー７２を操作し、連動金具５３が最大限に回転した図５（ｃ）に対応するロッド押さえ５２とロック部材６３の位置を図８に示す。
この状態において、ロッド押さえ５２は、図８における反時計回りに最大限回転変位している。ロッド４１は、図７の場合と同様に、第１脚部材２１に沿った上方向に変位しており、ロックキャスター３０のロックは解除された状態である。このとき、ロッド４１とロッド押さえ５２は接触していない。また、ロッド押さえ５２がロック部材６３を図７の状態よりさらに時計回り方向に回転させるため、ロック部材６３の鉤部６６が第１係合部２４からはずれ、天板１０の回動が許可されたアンロック状態となっており、天板１０を回動して起立させることが可能となる。なお、このときのロック部材６３の位置が本発明における天板アンロック位置である。
【００４７】
天板１０を起立させ、レバー７２の操作を解除した状態を図９に示す。ロッド押さえ５２は、押圧バネ５４の付勢力を受け、図９における時計回り方向に回転移動している。また、ロック部材６３は、ロックバネ６４の付勢力を受け、図９における反時計回り方向に回転移動している。
【００４８】
このとき、ロック部材６３の鉤部６６はヒンジ金具２３の第２係合部２５と係合しており、その結果、天板１０は回動が抑制されたロック状態となる。また、ロッド押さえ５２はロッド４１に接触しないため、ロッド４１は、第１脚部材２１に沿った上方向に変位しており、ロックキャスター３０は、旋回および回転が許可されたアンロック状態となっている。
【００４９】
なお、この状態でレバー７２を引く操作すると、ロック押さえ５２が反時計回りに回転し、突起６２を左方向に移動させることで、ロック部材６３を反時計回りに回転させる結果、ロック部材６３の鉤部６６が第２係合部２５から外れ、天板１０がアンロックされた状態となり、天板１０を回動して水平に戻すことが可能となる。
【００５０】
なお、もう一方の脚部２０に供えられたキャスターロック機構４０は、ロック押さえ５７により、上述した動作と同様の動作が行われる。
（３）発明の効果
このように構成された移動机１であれば、ロックキャスター３０をロックするための付勢力と、天板１０の回動をロックするための付勢力とは、それぞれ異なる付勢手段によって生じていることから、それぞれをロックするために適切な付勢力を設定することができるので、ロックするための機構を安定して作動させることができる。
【００５１】
また、天板１０が略水平となっており、レバー７２が操作されていないときは、天板１０の回動がロックされると共に、ロックキャスター３０の回転もロックされるため、移動机１は固定され、机としての使用に適した状態になる。そして、レバー７２を操作すると、天板１０のロックが解除され、天板１０の回動が可能となると共に、ロックキャスター３０のロックも解除されて、移動机１の移動に適した状態になる。
【００５２】
上述したように状態を変化させるためには、使用者はレバー７２のみを操作すればよいため、キャスターロック機構４０，天板ロック機構６０のそれぞれを別々の操作にて作動させる必要がなく、簡便にロックキャスター３０および天板１０のロックおよびアンロック操作を行うことができる。
【００５３】
さらに、ロッド押さえ５２に対して、キャスターロック機構４０のロッド４１，天板ロック機構６０のロック部材６３がいずれも完全にリンクする構成ではないことから、キャスターロック機構４０，天板ロック機構６０ののいずれか片方に不具合が生じて作動しなくなった場合や、不完全な作動を行っている場合であっても、もう一方の機構に与える影響を小さくすることができる。
【００５４】
また、上述した移動机１であれば、使用者が一定量レバー７２を引いた図５（ｂ）の状態においては、ロックキャスター３０はアンロックされる一方、天板１０の回動がロックされる。そのため、天板１０を回動させることなく、移動机１を移動させることができるので、移動机１の天板１０上に物が載っている状態での移動や、短い距離の移動を行う場合に天板１０を回動させる必要がなく都合がよい。
【００５５】
さらに、天板１０の左右両端部近傍に配置された一対の脚部２０によって天板１０を支えており、いずれの脚部２０にもキャスターロック機構４０が備わっていることから、複数のロックキャスター３０をロックすることができる結果、移動机１の移動を効果的に抑制することができる。
【図面の簡単な説明】
【００５６】
【図１】本実施例の移動机の使用状態における側面図
【図２】本実施例の移動机の移動状態における側面図
【図３】天板裏面の分解斜視図
【図４】天板裏面の組立図
【図５】レバーの操作に基づく連動金具の回転を表す側面図
【図６】連動金具が回転しない場合の移動机の側面図
【図７】連動金具が一定量回転した場合の移動机の側面図
【図８】連動金具が最大限回転した場合の移動机の側面図
【図９】天板が回転した場合の移動机の側面図
【符号の説明】
【００５７】
１…移動机、１０…天板、１１…回転軸、２０…脚部、２１…第１脚部材、２２…第２脚部材、２３…ヒンジ金具、２４…第１係合部、２５…第２係合部、３０…キャスター、３０…ロックキャスター、３０…結果ロックキャスター、３１…キャスター、３１…ロックキャスター、３２…内壁、４０…キャスターロック機構、４１…ロッド、４２…板バネ、４３…旋回軸、４４…旋回ロック部、４５…ロック片、４６…走行阻止歯、５０…押圧機構、５１…嵌合棒、５２…ロッド押さえ、５３…連動金具、５４…押圧バネ、５５…凹部、５６…回転金具、５７…ロッド押さえ、６０…天板ロック機構、６１…貫通孔、６２…突起、６３…ロック部材、６４…ロックバネ、６５…ロック座金、６６…鉤部、７０…レバー部、７１…スライド金具、７２…レバー、７３…スライド管座、７４…スライドカバー、７５…貫通長孔、７６…貫通孔、７７…リベット、８０…梁枠、８１…貫通孔、８２…曲長孔、８３…円形ボス部
【図１】
0005356678.tif 000002
【図２】
0005356678.tif 000003
【図３】
0005356678.tif 000004
【図４】
0005356678.tif 000005
【図５】
0005356678.tif 000006
【図６】
0005356678.tif 000007
【図７】
0005356678.tif 000008
【図８】
0005356678.tif 000009
【図９】
0005356678.tif 000010